(57)【要約】【課題】ロッキングプレートがストッパに当接するときの当接音を減少させる。【解決手段】ストッパ１４は、ボディ４に設けられた保持部４ａに嵌合固定される基部１４ａと、基部１４ａから回動部材９の当接面９ａに向けて延出する舌片部１４ｂとを有し、舌片部１４ｂに、回動部材９の当接面９ａに対して当接するとともに、回動部材９の当接面９ａに当接する側と反対側がボディ４に設けられた受け部４ｂに当接して圧縮変形することにより、回動部材９を所定位置に停止可能な膨隆部１４ｄを設ける。【選択図】  図２
2006037655.tif 000002
【特許請求の範囲】
【請求項１】
ストライカが進入する進入溝を有するボディに、回動部材を枢支するとともに、前記回動部材の当接面が当接することにより、前記回動部材を所定位置に停止させる弾性部材で形成されるストッパを設けた自動車用ドアラッチ装置において、
前記ストッパは、前記ボディに設けられた保持部に嵌合固定される基部と、該基部から前記回動部材の当接面に向けて延出する舌片部とを有し、該舌片部に、前記回動部材の当接面に対して当接するとともに、前記回動部材の当接面に当接する側と反対側が前記ボディに設けられた受け部に当接して圧縮変形することにより、前記回動部材を前記所定位置に停止可能な膨隆部を設けたことを特徴とする自動車用ドアラッチ装置。
【請求項２】
ストッパの舌片部とボディの受け部との少なくともいずれか一方に、他方に向けて突出する隆起部を設けたことを特徴とする請求項１記載の自動車用ドアラッチ装置。
【請求項３】
基部に、回動部材の当接面が当接可能な凹凸部を設けたことを特徴とする請求項１または２記載の自動車用ドアラッチ装置
【請求項４】
回動部材を、ストライカに係脱可能なラッチの回動を阻止するロッキングプレートとする請求項１〜３のいずれかに記載の自動車用ドアラッチ装置。
【発明の詳細な説明】
【技術分野】
【０００１】
本発明は、回動部材を所定位置で停止させるためのストッパを備えた自動車用ドアラッチ装置に関する。
【背景技術】
【０００２】
従来、自動車ドアラッチ装置においては、ドアに固定されるボディ内に、車体側に固着されたストライカと係脱可能なラッチ及びラッチに係合することにより、ラッチのオープン方向への回動を阻止して、ラッチとストライカとの係合状態を保持可能なロッキングプレートを枢着するとともに、ロッキングプレートをラッチに対して係合する所定位置（係合位置）に停止させるためのゴム等の弾性部材で形成されるストッパを設けている（例えば、特許文献１参照）。
【特許文献１】実開昭６１−１８７８７１号公報
【発明の開示】
【発明が解決しようとする課題】
【０００３】
しかし、上述のような従来の自動車用ドアラッチ装置においては、ロッキングプレートを係合位置に停止させる際、ロッキングプレートとストッパとが互いに面接触で当接するため、当接時に軽薄な当接音が発生し、ドアを閉止するときの閉じ音が低級なものになるおそれがある。
【０００４】
本発明は、従来の技術が有する上記のような問題点に鑑み、ロッキングプレートがストッパに当接するときの当接音を減少させることができるようにした自動車用ドアラッチ装置を提供することを目的としている。
【課題を解決するための手段】
【０００５】
本発明によると、上記課題は、次のようにして解決される。
（１）ストライカが進入する進入溝を有するボディに、回動部材を枢支するとともに、前記回動部材の当接面が当接することにより、前記回動部材を所定位置に停止させる弾性部材で形成されるストッパを設けた自動車用ドアラッチ装置において、前記ストッパは、前記ボディに設けられた保持部に嵌合固定される基部と、該基部から前記回動部材の当接面に向けて延出する舌片部とを有し、該舌片部に、前記回動部材の当接面に対して当接するとともに、前記回動部材の当接面に当接する側と反対側が前記ボディに設けられた受け部に当接して圧縮変形することにより、前記回動部材を前記所定位置に停止可能な膨隆部を設ける。
【０００６】
（２）上記(１)項において、ストッパの舌片部とボディの受け部との少なくともいずれか一方に、他方に向けて突出する隆起部を設ける。
【０００７】
（３）上記(１)または(２)項において、基部に、回動部材の当接面が当接可能な凹凸部を設ける。
【０００８】
（４）上記(１)〜(３)項のいずれかにおいて、回動部材を、ストライカに係脱可能なラッチの回動を阻止するロッキングプレートとする。
【発明の効果】
【０００９】
本発明によれば、次のような効果が奏せられる。
（ａ）請求項１記載の発明によると、ストッパの舌片部に、回動部材の当接面に対して当接するとともに、回動部材の当接面に当接する側と反対側がボディに設けられた受け部に当接して圧縮変形して、回動部材を所定位置に停止可能な膨隆部を設けたことにより、回動部材を所定位置に停止させるときの当接音を、膨隆部により効果的に吸収して最小限に抑えることができ、良好なドア閉じ音を得ることができる。
【００１０】
（ｂ）請求項２記載の発明によると、ストッパの舌片部とボディの受け部との少なくともいずれか一方に、他方に向けて突出する隆起部を設けたことにより、回動部材を所定位置に停止させるときの当接音を、より効果的に吸収して良好なドア閉じ音を得ることができる。
【００１１】
（ｃ）請求項３記載の発明によると、基部に、回動部材の当接面が当接可能な凹凸部を設けたことにより、回動部材を所定位置に停止させるときの当接音を、長期に亘って最小限に抑えることができる。
【００１２】
（ｄ）請求項４記載の発明によると、ロッキングプレートを係合位置に停止させるときの当接音を減少させ、ドア閉じ音を良好なものとすることができる。
【発明を実施するための最良の形態】
【００１３】
以下、本発明の一実施形態を、図面に基づいて説明する。図１は、ドアラッチ装置の後面図、図２は、同じくボディ内の内部構造を示す後面図、図３は、同じく正面図である。なお、以下の説明では、図１、２における紙面奥側及び図３における紙面手前側をそれぞれ自動車の「前方」とし、図１、２における紙面手前側及び図３における紙面奥側をそれぞれ自動車の「後方」とする。
【００１４】
ドアラッチ装置(１)は、自動車のドア内の後端部に複数のボルト（図示略）により固定されるとともに、車体側に固着されたストライカ(２)が進入可能な進入溝(4c)を有する合成樹脂製の箱状のボディ(４)を備え、このボディ(４)内には、図２に示すように、ストライカ(２)と係合して係合状態になることにより、ドアを閉止状態に拘束する噛合手段(５)が収容されている。なお、図２は、ボディ(４)内の内部構造を示すため、ボディ(４)の後面（図２において紙面手前側）を閉塞する金属製のカバープレート(16)（図１参照）を外した状態を示している。
【００１５】
噛合手段(５)は、ボディ(４)内に枢軸(６)により枢支されるとともに、車体側に固着されたストライカ(２)と係脱可能な係合溝(7a)を有するラッチ(７)と、ボディ(４)内に枢軸(８)により枢支されるとともに、ラッチ(７)の外周縁に設けられた爪部(7b)(7c)に係合し、ラッチ(７)のオープン方向（図２において反時計方向）への回動を阻止する回動部材をなすロッキングプレート(９)とを有する。
【００１６】
ラッチ(７)は、ドアが開いているときには、図２に示すクローズ位置から反時計方向へほぼ９０度回転し、ボディ(４)に設けられたストッパ部(4d)に当接するオープン位置に停止し、ストライカ(２)が係合溝(7a)から離脱している。ドアが閉じられると、ドアの閉移動に伴って、ストライカ(２)が進入溝(4c)に図２において右方から進入してラッチ(７)の係合溝(7a)に係合することにより、ラッチ(７)は、オープン位置から時計方向へ回動してクローズ位置に回動するようになっている。
【００１７】
ロッキングプレート(９)は、ラッチ(７)のオープン位置からクローズ位置への回動に伴って、図２に示す係合位置から、ロッキングプレート(９)を係合方向（図２において時計方向）に向けて付勢するばね(13)の付勢力に抗して、一旦、解除方向（図２において反時計方向）へ回動させられた後、ばね(13)の付勢力により、ラッチ(７)の爪部(7b)（または爪部(7c)）に係合し、ラッチ(７)のオープン方向への回動を阻止してドアを閉止状態に保持する。
【００１８】
ドアの車外側に設けられたドア開扉用の操作ハンドル（図示略）または車内側に設けられたドア開扉用の操作ハンドル（図示略）の操作に基づいて、ボディ(４)の前面側に設けられたオープンレバー（図示略）が解除作動させられると、ロッキングプレート(９)は、爪部(7b)（または爪部(7c)）に係合した係合位置から解除方向へ回動し、爪部(7b)（または爪部(7c)）から離脱して、ドアの開きを可能にする。なお、ロッキングプレート(９)がラッチ(７)の爪部(7b)に係合した状態は、ドアが完全に閉じたフルラッチの係合状態であり、また、同じく爪部(7c)に係合した状態は、ドアが完全に閉じていない半ドアの係合状態である。なお、ラッチ(７)は、枢軸(６)に巻装されたばね（図示略）によりオープン方向に付勢されている。
【００１９】
ボディ(４)内におけるロッキングプレート(９)の近傍には、ロッキングプレート(９)の下面側の当接面(9a)が、ロッキングプレート(９)を所定位置、すなわち係合位置に停止させるためのゴム等の弾性部材で形成されるストッパ(14)が固定されている。
【００２０】
ストッパ(14)は、主に図３〜図５に示すように、ほぼ立方体形状をなす基部(14a)が、ボディ(４)内に設けられたほぼＵ字状の保持部(4a)内に嵌合固定されるとともに、基部(14a)には、側面から斜め上方、すなわちロッキングプレート(９)の当接面(9a)に向けてへ延出する舌片部(14b)が設けられている。
【００２１】
ロッキングプレート(９)の当接面(9a)に対向する基部(14a)の上面には、凹凸部(14c)が設けられ、また、舌片部(14b)の先端部には、上下方向に膨隆した膨隆部(14d)、また、同じく中央部には、下方へ隆起した隆起部(14e)がそれぞれ設けられている。
【００２２】
ドアの閉動作によるラッチ(７)のオープン位置からクローズ位置への回動に伴って、ロッキングプレート(９)が、ばね(13)により、解除位置（図５参照）から係合位置（図３参照）へ回動する場合には、先ず、図４に示すように、ロッキングプレート(９)が係合位置に達する前に、ロッキングプレート(９)の当接面(9a)が、ストッパ(14)の膨隆部(14d)の上部に当接し、隆起部(14e)がボディ(４)に設けられた受け部(4b)の上面に当接した状態で、舌片部(14b)が下方へ撓曲する。これにより、ロッキングプレート(９)の係合位置へ向かうスピードは減衰される。このとき、膨隆部(14d)より基部(14a)寄り側に設けられた隆起部(14e)が、ボディ(４)の受け部(4b)に当接するため、ロッキングプレート(９)の係合位置へ向かうスピードを効果的に減衰させることができる。
【００２３】
続いて、舌片部(14b)が所定量変形すると、膨隆部(14d)におけるロッキングプレート(９)の当接面(9a)に当接する上部と反対側の下部及び隆起部(14e)が、受け部(4b)の上面に当接した状態で圧縮変形し、図３に示すように、ロッキングプレート(９)は係合位置に停止させられる。このとき、膨隆部(14d)の下部と隆起部(14e)とが受け部(4b)に当接して、舌片部(14b)の下面と受け部(4b)との間に隙間が形成されるため、膨隆部(14d)が無理なく圧縮変形することができる。
【００２４】
上述のように、ロッキングプレート(９)の当接面(9a)を、膨隆部(14d)に当接させることにより、ロッキングプレート(９)を停止させるときの当接音を、膨隆部(14d)及び隆起部(14e)により効果的に吸収して最小限に抑えることができる。
【００２５】
また、経年変化等により、膨隆部(14d)の弾性変形が劣化した場合には、ロッキングプレート(９)の当接面(9a)が、基部(14a)の上面に設けられた凹凸部(14c)に当接することにより、係合位置に停止させられるようになっている。したがって、ロッキングプレート(９)が係合位置に停止させる際の当接音を、長期に亘って最小限に抑えることができる。
【００２６】
以上、本発明の一実施形態について説明したが、本発明の要旨を逸脱しない範囲内で、本実施形態に対して、次のような変形や変更を施すことが可能である。
（ｉ）ラッチ(７)を回動部材とするとともに、ストッパ(14)を、ストッパ部(4c)に替えてボディ(４)に固定して、ラッチ(７)をストッパ(14)に当接させることによって、オープン位置に停止させること。
（ii）ストッパ(14)の舌片部(14b)に設けられる隆起部(14e)に代えて、回動部材を所定位置に停止させるとき、ストッパ(14)の舌片部(14b)に当接可能な隆起部(14d)を、舌片部(14b)の下面に対向する受け部(4b)に設けること。または、隆起部を受け部(4b)と舌片部(14b)との両方に設けること。
【図面の簡単な説明】
【００２７】
【図１】本発明に係わるドアラッチ装置の後面図である。
【図２】ボディの内部構造を示す後面図である。
【図３】図２におけるＡ部の拡大図である。
【図４】ロッキングプレートが作動途中にある場合の図３と同一部の拡大図である。
【図５】ロッキングプレートが解除位置にある場合の図３と同一部の拡大図である。
【符号の説明】
【００２８】
(１)ドアラッチ装置
(２)ストライカ
(４)ボディ
(4a)保持部
(4b)受け部
(4c)進入溝
(4d)ストッパ部
(５)噛合手段
(６)枢軸
(７)ラッチ（回動部材）
(7a)係合溝
(7b)(7c)爪部
(８)枢軸
(９)ロッキングプレート（回動部材）
(9a)当接面
(11)オープンレバー
(11a)第１係合部
(13)ばね
(14)ストッパ
(14a)基部
(14b)舌片部
(14c)凹凸部
(14d)膨隆部
(14e)隆起部
(15)ハウジング
(16)カバープレート
【図１】
2006037655.tif 000003
【図２】
2006037655.tif 000004
【図３】
2006037655.tif 000005
【図４】
2006037655.tif 000006
【図５】
2006037655.tif 000007